(57)【要約】【課題】  簡単な操作でネジ山の損傷を修正することができ、また、ネジのサイズが変化する場合でも一つの治具で簡単に対応できるようにする。【解決手段】  ネジ山等が破損したネジを修正する治具１において、治具本体２の先端側に太鼓型形状の転造ローラ３を配置し、治具本体２の基端側のネジ孔４に螺合して挿通するネジ軸５の先端部に左右一対のハウジング６を回転可能に連結し、各ハウジング６に上下一対の転造ローラ７、８を配置する。そして、各転造ローラ３、７、８をローラ軸１０によって回転自在に支持し、ローラ軸１０方向にフローティング支持すると同時に、ピロボールタイプの軸受で支持する。【選択図】      図１
2005324202.tif 000002
【特許請求の範囲】
【請求項１】
破損したネジを修正する治具であって、ネジ溝に嵌合可能な複数の太鼓型形状の転造ローラが対向状に配置され、これら複数の転造ローラのうち、対向する一方側の転造ローラは、他方側の転造ローラに対して進退動自在にされるとともに、任意の位置で固定できるようにされることを特徴とするネジの修正治具。
【請求項２】
前記転造ローラは、ローラ軸方向に遊動可能に支持されることを特徴とする請求項１に記載のネジの修正治具。
【請求項３】
前記転造ローラは、ピロボールタイプの軸受で支持されることを特徴とする請求項１又は請求項２に記載のネジの修正治具。
【発明の詳細な説明】
【技術分野】
【０００１】
本発明は、ネジ山の潰れ等の損傷を修正する技術に関する。
【背景技術】
【０００２】
従来、ボルト等のネジ部材を使用する際、硬いものに当てる等によってネジ山が損傷することがあり、この場合、金鋸などによって目立てを行いネジ山を再生したり、ボルトの破損部をカットしつなぎ旋盤などでネジ加工を行ったりするような修正方法が採用されるが、分割したダイスの内周面にネジ山形成用の切刃を形成し、ボルトを挟み込むように分割ダイスを結合することにより切刃をネジ溝に嵌合させ、これをソケットレンチで回転させることにより、ネジ山の損傷を修正するような技術も知られている。（例えば、特許文献１参照。）
【０００３】
【特許文献１】特開２０００−６４２７８号公報
【発明の開示】
【発明が解決しようとする課題】
【０００４】
ところが、金鋸などで目立てを行う方法は、損傷個所が広い場合には工数がかかり、また、切削が基本となるため再使用することができないという問題がある。
また、特許文献１の場合は、ボルト等のサイズに合わせて複数種類のダイスを準備しておかなければならず、保管場所や管理等の問題が生じる。
【０００５】
そこで本発明は、簡単な操作でネジ山の損傷を修正することができ、また、ボルト等のサイズが変化する場合でも一つの治具で簡単に対応できるようにすることを目的とする。
【課題を解決するための手段】
【０００６】
上記目的を達成するため本発明は、破損したネジを修正する治具において、ネジ溝に嵌合可能な複数の太鼓型形状の転造ローラを対向状に配置し、これら複数の転造ローラのうち、対向する一方側の転造ローラを、他方側の転造ローラに対して進退動自在にするとともに、任意の位置で固定できるようにした。
【０００７】
そして、固定側の転造ローラをネジ溝の正常な部分に嵌合させ、これに対向する転造ローラを前進させることにより、可動側の転造ローラもネジ溝の正常な部分に嵌合させてネジ軸を挟持した状態で位置を固定するとともに、治具本体をネジの損傷部分に向けて回転移動させることにより、ネジ山の潰れ等を転造ローラで修正加工する。この際、転造ローラによる修正加工は、太鼓型形状のローラによる転造加工となるため、ネジ山の強度を維持することができ、場合によっては新品に近い状態に復元することも可能となる。
また、可動側の転動ローラを自由な位置で固定できるため、ネジのサイズが異なっても一つの治具で対応できる。
なお、転造ローラの数としては、ネジ軸を周囲から安定した状態で挟持できるようにすることが好ましく、少なくとも３個以上あることが好ましい。
【０００８】
また本発明では、前記転造ローラを、ローラ軸方向に遊動可能に支持するようにした。
このようにローラ軸方向に遊動可能に支持すれば、ネジのピッチが多少異なる場合でも対応できるようになり、汎用性を増す。
また、転動ローラをピローボールタイプの軸受で支持するようにすれば、リード角が多少異なる場合でもネジ溝方向に合わせた姿勢で嵌合させることができる。
【発明の効果】
【０００９】
ネジ溝に嵌合可能な複数の太鼓型形状の転造ローラを対向状に配置したネジの修正治具を設け、これら複数の転造ローラを正常な部分のネジ溝に嵌合させた後、治具本体をネジの損傷部分に向けて回転移動させることにより、ネジ山の潰れ等を転造ローラで修正加工することができ、この際、ネジのサイズが異なっても、対応できる。
また、転造ローラをローラ軸方向に遊動可能に支持することで、ネジのピッチやリード角が異なる場合でも対応できるため、汎用性が高い。
【発明を実施するための最良の形態】
【００１０】
本発明の実施の形態について添付した図面に基づき説明する。
ここで図１は本発明に係るネジの修正治具の斜視図、図２は同修正治具を破損ネジに装着した状態の正面図、図３は同平面図、図４は転造ロールの拡大図、図５は破損したネジを修正する方法の説明図である。
【００１１】
本発明に係るネジの修正治具は、簡単な操作でネジ山の損傷を修正することができる治具で、しかも、ネジサイズが変化する場合でも簡単に対応できるようにされ、一般のネジ式の固定治具を改良して構成されている。
【００１２】
すなわち、本修正治具１は、図１乃至図３に示すように、略Ｕ字型の治具本体２と、この治具本体２の先端側に取り付けられる転造ローラ３と、基端側のネジ孔４に螺合して挿通するネジ軸５と、このネジ軸５の先端部に回転可能に取り付けられる左右一対のハウジング６と、各ハウジング６の内部に取り付けられるそれぞれ上下一対の転造ローラ７、８と、ネジ軸５の基端部に取り付けられる操作杆９を備えており、各転造ローラ３、７、８はそれぞれのローラ軸１０まわりに回転自在に支持されるとともに、本実施例では、固定式の転造ローラ３が一個と、可動式の転造ローラ７、８の四個とが対向状に配置されている。
【００１３】
そして、それぞれのハウジング６は、治具本体２に対して回転不能に規制されており、このため、ネジ軸５を回転させると、各ハウジング６が姿勢を保持したまま進退動するようにされている。
【００１４】
また、図４に示すように、各転造ローラ３、７、８を支持するローラ軸１１には、各ローラ３、７、８を挟み込むように左右一対のバネ部材１１が配設され、ローラ軸１０方向に対して各転造ローラ３、７、８を遊動可能に支持している。
【００１５】
また、各転造ローラ３、７、８は、それぞれのローラ軸１０に対してピロボールタイプの球面軸受によって支持されており、修正ネジｎのリード角の変化に対応して傾斜可能にされている。
ちなみに、本転造ローラ３、７、８のそろばん玉形状のローラ先端角θ（図４）は、通常のボルトネジ等のネジ溝角度に多用されている５５度と６０度の二種類を準備している。
【００１６】
以上のような修正治具１の作用等について説明する。
図５に示すように、ネジのネジ山等が潰れた修正ネジｎの破損個所を修正する場合、修正ネジｎの正常なネジ部分に本修正治具１を装着する。すなわち、図２、図３に示すように、治具本体２の先端側に固定される転造ローラ３を正常なネジ部分のネジ溝に嵌合させ、操作杆９を回転操作することで各ハウジング６を前進させ、上下左右の転造ローラ７、８をネジ溝の正常な部分に嵌合させて締付ける。
【００１７】
この際、各転造ローラ３、７、８はローラ軸１０方向に遊動可能であり、同方向にフローティング支持されているため、ネジのピッチが多少ずれてもネジ溝に嵌合させることができ、また、各転造ローラ３、７、８はピロボールタイプの軸受により自動調心形に支持されるためリード角の如何に拘わらず、ネジ溝の方向に合った姿勢でネジ溝に嵌合する。
【００１８】
転造ローラ３、７、８による締付け固定が完了すると、修正治具１を破損個所に向けて移動させるべく回転させていく。すると、図５に示すように、転造ローラ３、７、８は潰されたネジ山を転造で修正しつつネジ溝を移動する。
そして、かかる修正操作は簡単であり、また、こうして修正されたネジ山は、転造加工であるためネジ山の強度を維持することができる。また、異なった径の場合でも一つの治具１で対応することができる。
【００１９】
ところで、以上の実施例では、左右のハウジング６内にそれぞれ上下二個の転造ローラ７、８を配置するようにしているため、合計五個の転造ローラ３、７、８で安定した姿勢で修正ネジｎを把持できたが、左右のハウジング６を一つに纏め、一つのハウジング６内に上下の転造ローラ７、８を設けることで、合計三個の転造ローラ３、７、８で治具１を構成しても良い。
【００２０】
なお、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【００２１】
ネジ山の潰れ等の破損を修正する治具として、複数の太鼓型形状の転造ローラでネジを挟み付けるようにネジ溝に嵌合させ、治具をネジ溝に沿って回転させて破損を修正するようにしたため、簡単な操作で修正することができ、また、サイズが変わっても一つの治具で対応できる。
【図面の簡単な説明】
【００２２】
【図１】本発明に係るネジの修正治具の斜視図
【図２】同修正治具を破損ネジに装着した状態の正面図
【図３】同平面図
【図４】転造ロールの拡大図
【図５】破損したネジを修正する方法の説明図
【符号の説明】
【００２３】
１…修正治具、２…治具本体、３…転造ローラ、７…転造ローラ、８…転造ローラ、１０…ローラ軸。
【図１】
2005324202.tif 000003
【図２】
2005324202.tif 000004
【図３】
2005324202.tif 000005
【図４】
2005324202.tif 000006
【図５】
2005324202.tif 000007